(57)【特許請求の範囲】
【請求項１】
表示画面にバックライトを備えた携帯端末装置であって、
通信系およびファイル操作系のアプリケーションソフトがそれぞれ格納された記憶部と、
前記通信系のアプリケーションソフトの実行中に、オフフック信号を検出すると、前記バックライトの電源をオフさせ、前記ファイル操作系のアプリケーションソフトの実行中に、ファイルの読出しまたは書込みを指示する旨の指示信号が入力されると、該ファイルの情報量と予め登録された閾値とを比較し、該情報量の方が大きければ、前記バックライトの電源をオフさせる制御部と、
を有する携帯端末装置。
【請求項２】
前記制御部は、
前記アプリケーションソフトを起動する旨の指示が入力されると、該アプリケーションソフトが前記通信系であるか前記ファイル操作系であるかを判定し、該アプリケーションソフトが該通信系である場合、前記バックライトの電源をオフするためのトリガとして前記オフフック信号を登録し、該アプリケーションソフトが該ファイル操作系である場合、ファイルの情報量の基準値となる前記閾値と前記指示信号とを前記トリガとして登録する、請求項１記載の携帯端末装置。
【請求項３】
前記制御部は、
実行するアプリケーションソフトが前記通信系である場合、オンフック信号を検出すると、通話時間を前記表示画面に表示させるとともに、前記バックライトの電源をオンさせる請求項１または２記載の携帯端末装置。
【請求項４】
前記制御部は、
実行するアプリケーションソフトが前記ファイル操作系である場合、ファイル操作の終了時に、該ファイル操作が終了した旨を前記表示画面に表示させるとともに、前記バックライトの電源をオンさせる請求項１または２記載の携帯端末装置。
【請求項５】
前記制御部は、
前記バックライトの電源を一定時間オンさせた後、実行中のアプリケーションソフトにしたがって該バックライトの電源を制御する請求項３または４記載の携帯端末装置。
【請求項６】
通信系およびファイル操作系のアプリケーションソフトがそれぞれ格納された記憶部とバックライトを備えた表示画面とを有する携帯端末装置による、該バックライトの電源制御方法であって、
前記アプリケーションソフトを起動する旨の指示が入力されると、該アプリケーションソフトが前記通信系であるか前記ファイル操作系であるかを判定するステップと、
前記アプリケーションソフトが前記通信系である場合、前記バックライトの電源をオフするためのトリガとしてオフフック信号を登録し、前記アプリケーションソフトが前記ファイル操作系である場合、ファイルの情報量の基準値となる閾値とファイルの読出しおよび書込みを指示する旨のそれぞれの指示信号とを前記トリガとして登録するステップと、
前記通信系のアプリケーションソフトの実行中に、前記オフフック信号を検出すると、前記バックライトの電源をオフさせ、前記ファイル操作系のアプリケーションソフトの実行中に、ファイルの読出しまたは書込みを指示する旨の指示信号が入力されると、該ファイルの情報量と前記閾値とを比較し、該情報量の方が大きければ、前記バックライトの電源をオフさせるステップと、
を有する電源制御方法。
【請求項７】
通信系およびファイル操作系のアプリケーションソフトがそれぞれ格納された記憶部とバックライトを備えた表示画面とを有するコンピュータに実行させるためのプログラムであって、
前記アプリケーションソフトを起動する旨の指示が入力されると、該アプリケーションソフトが前記通信系であるか前記ファイル操作系であるかを判定するステップと、
前記アプリケーションソフトが前記通信系である場合、前記バックライトの電源をオフするためのトリガとしてオフフック信号を登録し、前記アプリケーションソフトが前記ファイル操作系である場合、ファイルの情報量の基準値となる閾値とファイルの読出しおよび書込みを指示する旨のそれぞれの指示信号とを前記トリガとして登録するステップと、
前記通信系のアプリケーションソフトの実行中に、前記オフフック信号を検出すると、前記バックライトの電源をオフさせ、前記ファイル操作系のアプリケーションソフトの実行中に、ファイルの読出しまたは書込みを指示する旨の指示信号が入力されると、該ファイルの情報量と前記閾値とを比較し、該情報量の方が大きければ、前記バックライトの電源をオフさせるステップと、
を有する処理を前記コンピュータに実行させるためのプログラム。
【発明の詳細な説明】
【技術分野】
【０００１】
本発明は、表示画面にバックライトを有する携帯端末装置、バックライトの電源制御方法、およびプログラムに関する。
【背景技術】
【０００２】
従来、無線基地局を介して他の電話装置と通信する携帯電話装置には、通信先の電話番号を表示する液晶画面などの表示部が設けられている。液晶画面には、ユーザに対して通信先の電話番号を見やすくするために、通常、画面裏側から照射するバックライトが設けられている。携帯電話装置は電話がかかってくると、通信先の電話番号や電話番号で特定される通信先の情報を表示し、バックライトを点灯させる。そのため、暗い場所でも、ユーザは電話をかけてきた相手が誰であるかをすぐに認識できる。
【０００３】
また、ユーザが携帯電話装置のスピーカを耳に当てて通話している間、液晶画面を見ることができなくても、通話開始からの経過時間が液晶画面に表示される。これは、通話中のいかなるときでも、通話時間をユーザに通知するためである。通話開始から終了までの間、バックライトも点灯している。
【０００４】
一方、バックライトの点灯は、携帯電話装置で消費される電力の中でも大きな割合を占め、屋外で利用されることの多い携帯電話装置の電池をより消耗させる。そのため、携帯電話装置は、ユーザによる操作時に操作メニュー画面を表示するとともにバックライトを点灯させるが、一定時間操作しなければ、バックライトの電源をオフして、電力消費量を低減している。また、電力消費量の低減をより図るために、通話中にバックライトの電源をオフする携帯電話装置が特許文献１に開示されている。
【特許文献１】特開平９−３２１８５３号公報
【発明の開示】
【発明が解決しようとする課題】
【０００５】
上述の電話機能のアプリケーションソフトの他に、種々のアプリケーションソフトを実行可能にした携帯端末装置がある。ファイルを記憶部から読出したり、記憶部に書込んだりするファイル操作を伴うアプリケーションソフトでは、それぞれの操作の間、操作中を示す画面が表示される。その間、バックライトも点灯している。ユーザが何も指示を入力する必要がないにもかかわらず、ユーザに対して装置の動作状況を示すためである。このように、アプリケーションソフトに予め設定された制御では、バックライトの電力消費が十分に考慮されておらず、アプリケーションソフトの実行中、電力が無駄に消費されてしまうことがある。
【０００６】
本発明は上述したような従来の技術が有する問題点を解決するためになされたものであり、バックライト電源による消費電力を低減した携帯端末装置、電源制御方法、およびプログラムを提供することを目的とする。
【課題を解決するための手段】
【０００７】
上記目的を達成するための本発明の携帯端末装置は、表示画面にバックライトを備えた携帯端末装置であって、
通信系およびファイル操作系のアプリケーションソフトがそれぞれ格納された記憶部と、
前記通信系のアプリケーションソフトの実行中に、オフフック信号を検出すると、前記バックライトの電源をオフさせ、前記ファイル操作系のアプリケーションソフトの実行中に、ファイルの読出しまたは書込みを指示する旨の指示信号が入力されると、該ファイルの情報量と予め登録された閾値とを比較し、該情報量の方が大きければ、前記バックライトの電源をオフさせる制御部と、
を有する構成である。
【０００８】
一方、上記目的を達成するための本発明の電源制御方法は、通信系およびファイル操作系のアプリケーションソフトがそれぞれ格納された記憶部とバックライトを備えた表示画面とを有する携帯端末装置による、該バックライトの電源制御方法であって、
前記アプリケーションソフトを起動する旨の指示が入力されると、該アプリケーションソフトが前記通信系であるか前記ファイル操作系であるかを判定するステップと、
前記アプリケーションソフトが前記通信系である場合、前記バックライトの電源をオフするためのトリガとしてオフフック信号を登録し、前記アプリケーションソフトが前記ファイル操作系である場合、ファイルの情報量の基準値となる閾値とファイルの読出しおよび書込みを指示する旨のそれぞれの指示信号とを前記トリガとして登録するステップと、
前記通信系のアプリケーションソフトの実行中に、前記オフフック信号を検出すると、前記バックライトの電源をオフさせ、前記ファイル操作系のアプリケーションソフトの実行中に、ファイルの読出しまたは書込みを指示する旨の指示信号が入力されると、該ファイルの情報量と前記閾値とを比較し、該情報量の方が大きければ、前記バックライトの電源をオフさせるステップと、
を有するものである。
【０００９】
また、上記目的を達成するための本発明のプログラムは、通信系およびファイル操作系のアプリケーションソフトがそれぞれ格納された記憶部とバックライトを備えた表示画面とを有するコンピュータに実行させるためのプログラムであって、
前記アプリケーションソフトを起動する旨の指示が入力されると、該アプリケーションソフトが前記通信系であるか前記ファイル操作系であるかを判定するステップと、
前記アプリケーションソフトが前記通信系である場合、前記バックライトの電源をオフするためのトリガとしてオフフック信号を登録し、前記アプリケーションソフトが前記ファイル操作系である場合、ファイルの情報量の基準値となる閾値とファイルの読出しおよび書込みを指示する旨のそれぞれの指示信号とを前記トリガとして登録するステップと、
前記通信系のアプリケーションソフトの実行中に、前記オフフック信号を検出すると、前記バックライトの電源をオフさせ、前記ファイル操作系のアプリケーションソフトの実行中に、ファイルの読出しまたは書込みを指示する旨の指示信号が入力されると、該ファイルの情報量と前記閾値とを比較し、該情報量の方が大きければ、前記バックライトの電源をオフさせるステップと、
を有する処理を前記コンピュータに実行させるものである。
【００１０】
本発明によれば、通信系アプリケーションソフト実行中に通話信号を検出すると、バックライト電源がオフになり、ファイル操作系アプリケーションソフト実行中にファイルの読出しまたは書込みのいずれかの処理の際、対象のファイルが所定の情報量よりも大きければバックライト電源がオフになる。これにより、いずれのアプリケーションソフトを実行させても、ユーザが携帯端末装置を見たり、操作したりする必要がないとき、バックライトの電源がオフされ、消費電力が低減する。
【発明の効果】
【００１１】
本発明によれば、アプリケーションソフト動作中でも表示画面のバックライトの電源を制御することが可能となり、電池寿命を従来よりも延ばすことができる。
【発明を実施するための最良の形態】
【００１２】
本発明の携帯端末装置は、ユーザが実行させるアプリケーションソフトに対応して、アプリケーションソフト動作中でも表示画面のバックライトの電源を制御させることを特徴とする。
【００１３】
次に、本実施例の携帯端末装置の構成を説明する。なお、以下では、本発明に関連する、バックライト電源の制御に関する構成について説明し、電話機能およびファイル操作などの通常の機能については、その詳細な説明を省略する。
【００１４】
図１は本実施例の携帯端末装置の一構成例を示すブロック図である。
【００１５】
図１に示すように、本実施例の携帯端末装置は、オペレーティングシステム（以下、ＯＳと略記する）のプログラムが格納された記憶部１０と、外部と音声データを送受信するための通信部１１と、表示部１２と、表示部１２のバックライト１４と、各部を制御する制御部１６と、ユーザが指示を入力するための操作部１８とを有する。ここでは、表示部１２を液晶画面とする。
【００１６】
記憶部１０には、ＯＳ以外にも、ユーザの指示により実行されるアプリケーションソフト（以下、ＡＳと略記する）が格納されている。アプリケーションソフトには、通話のための通信系アプリケーションソフトと、ファイル操作を伴うファイル操作系アプリケーションとがある。また、ファイル操作を実行する際、バックライト１４の電源をオフするかオンするかの判定基準となるファイルのサイズ（情報量）が閾値として格納されている。
【００１７】
制御部１６は、装置全体の電力制御を管理するパワーマネジメント制御部２１と、バックライト１４の電源制御を行うバックライト電源制御部２２とを有する。パワーマネジメント制御部２１は、装置全体の省電力制御およびバックライト１４の電源制御を行うための条件となるトリガを、ＯＳを介して検出および管理する。バックライト電源制御部２２は、バックライト１４の電源オンまたは電源オフを要求する旨の制御信号をパワーマネジメント制御部２１から受け取ると、制御信号に対応してバックライト１４の電源制御を行う。
【００１８】
図２は制御部の一構成例を示すブロック図である。
【００１９】
制御部１６は、プログラムにしたがって所定の処理を実行するＣＰＵ６１と、ＣＰＵ６１動作時にＯＳやＡＳ等のプログラムを格納するためのメモリ６２とを有する。ＣＰＵ６１がメモリ６２に格納されたプログロムにしたがって動作することで、図１に示したパワーマネジメント制御部２１およびバックライト電源制御部２２が仮想的に構成される。トリガの情報は、実行されるアプリケーションソフトに対応して、アプリケーションソフトの実行開始時に記憶部１０から読みだされ、メモリ６２に格納される。
【００２０】
通信系アプリケーションでは、オフフック信号を含む通話信号がトリガとなる。外部からの呼出しがあったとき、通常、ユーザはオフフックする前に相手先を表示部で確認するため、オフフック後はバックライト電源をオフにしてよい。また、ユーザは電話をかける際、通常、電話帳から相手先を選択してからオフフックするから、オフフック後はバックライト電源をオフにしてよい。
【００２１】
ファイル操作系の指示信号であるシステムコールには、少なくとも次の３つの指示信号がある。記憶部１０からの対象ファイルの読出しを指示する旨の読出しシステムコールと、記憶部１０への対象ファイルの書込みを指示する旨の書込みシステムコールと、対象ファイルのクローズを指示する旨のクローズシステムコールとがある。ファイル操作系アプリケーションソフトでは、読出しシステムコールおよび書込みシステムコールのいずれかと、対象ファイルのサイズが閾値より大きいことがトリガとなる。これは、ファイルサイズが閾値よりも大きいと、読出しや書込みの処理に時間がかかり、その間のバックライトの消費電力が無駄になるからである。ファイルをクローズする際はファイルサイズによらず処理時間は他の２つの処理の場合に比べて短いため、特にバックライトの電源をオフする必要はない。
【００２２】
パワーマネジメント制御部２１は、ＡＳ起動の指示が入力されると、ＡＳに対応するトリガを記憶部１０から読み出してメモリ６２に登録する。そして、ＡＳ実行中に、検出する信号をトリガと比較し、これらが一致するか否かを判定する。比較の結果、信号の情報とトリガの条件とが一致すると、バックライト電源制御部２２に電源オフの制御信号を送信する。
【００２３】
また、パワーマネジメント制御部２１は、ＡＳ実行中において、割り込みで通話信号やシステムコールをＯＳを介して受け取ると、それらを時系列に管理する。以下では、時系列に記録される管理情報を時系列管理情報と称する。なお、トリガによりバックライト電源をオンさせる場合であっても、その直後に電源をオフさせる制御が時系列管理情報にあれば、バックライトの電源をオンさせずにオフの状態のままとする。
【００２４】
次に、ＡＳ起動時における、トリガの登録動作を説明する。図３はトリガの登録手順を示すフローチャートである。
【００２５】
ユーザが携帯端末装置の操作部１８を操作してＡＳを起動させる旨の指示を入力すると、ＡＳの初期化処理で、パワーマネジメント制御部２１は、ＡＳが通信系であるか、ファイル操作系であるかを判定する（ステップ１０１）。ＡＳが通信系である場合、通話信号をトリガとしてメモリ６２に登録する（ステップ１０２）。ＡＳがファイル操作系である場合、読出しシステムコールおよび書込みシステムコールとファイルサイズが閾値よりも大きいことをトリガとしてメモリ６２に登録する（ステップ１０３）。これらのトリガの情報はバックライト電源制御部２２に制御を行わせるための条件となり、パワーマネジメント制御部２１に登録される。このようにして、バックライト１４の電源をオフするための条件となるトリガが登録される。その後、制御部１６がＡＳを実行する。
【００２６】
図４はパワーマネジメント制御部によるバックライトの電源制御の動作手順を示すフローチャートである。
【００２７】
ユーザがＡＳ実行の指示を入力すると、ユーザによる操作から一定時間、バックライト電源はオンするため、初期段階でバックライトの電源はオン状態である。パワーマネジメント制御部２１は、通話信号を検出するか否かを判定し（ステップ２０１）、通話信号を検出する場合、バックライトの電源をオフさせる旨のオフ制御信号をバックライト電源制御部２２に送出する（ステップ２０２）。ステップ２０１で、通話信号を検出しない場合、受話器をオンフックにした状態に相当するインアクティブ（オンフック信号）を検出するか否かを判定し（ステップ２０３）、インアクティブであることを検出すると、バックライトの電源をオンさせる旨のオン制御信号をバックライト電源制御部２２に送出する（ステップ２０４）。そして、一定時間オンさせた後、ＡＳの制御にしたがって、バックライト電源をオフする。このようにして通話終了時に一定時間バックライトの電源をオンさせることで、ユーザは通話終了時に通話時間を確認できる。
【００２８】
なお、ステップ２０４でバックライト電源をオンさせているが、それ以前にＡＳ実行によりバックライト電源がオフしている場合である。ステップ２０４でバックライト電源がオンしていれば、バックライト電源制御部２２は電源オンの制御信号を受け取ると、電源オンを維持する。反対に、バックライト電源制御部２２は、オン制御信号を受信したとき、時系列管理情報を参照し、ＡＳまたはＯＳの制御によりバックライトの電源をオフする旨の要求を既に受け付けていれば、バックライトの電源をオンしない。
【００２９】
一方、ステップ２０３で、パワーマネジメント制御部２１は、インアクティブではない状態であることを検出すると、通話をしていなくても、ファイル操作を実行していると判断する。そして、ファイルの読出しまたは書込みのシステムコールを検出しているか否かを判定する（ステップ２０５）。読出しまたは書込みのシステムコールを検出している場合、対象ファイルのサイズが閾値を越えているか否かを判定する（ステップ２０６）。対象ファイルのサイズが閾値を越えている場合、バックライトの電源をオフする（ステップ２０２）。これに対して、対象ファイルのサイズが閾値よりも小さい場合、バックライト電源のオン状態を維持するため、バックライト電源制御部２２に制御信号を送らない。
【００３０】
さらに、ステップ２０５で、パワーマネジメント制御部２１は、読出しシステムコールおよび書込みシステムコールのいずれも検出していないと、クローズシステムコールを検出しているか否かを判定する（ステップ２０７）。クローズシステムコールを検出していない場合、ステップ２０４の処理を行う。ステップ２０７でクローズシステムコールを検出していない場合、バックライト電源のオン状態を維持するため、バックライト電源制御部２２に制御信号を送らない。
【００３１】
なお、ステップ２０２でバックライト電源をオフした後、ファイル操作が終了した旨の信号を検出すると、パワーマネジメント制御部２１は一定時間バックライト１４の電源をオンさせる（ステップ２０８）。ファイル操作終了時にはＡＳにより、表示画面にファイル操作が終了した旨が表示され、一定時間バックライト電源をオンすることで、ユーザに処理が終了したことを通知できる。
【００３２】
本実施例の携帯端末装置では、ＡＳに対応してバックライト電源をオフするためのトリガを予め登録し、ＡＳの任意の処理区間にバックライトの電源制御をパワーマネジメント制御部２１を介して行うように構成している。そのため、従来よりも細かく電源制御を行うことができる。また、いずれのＡＳを実行させても、ＡＳ自体による制御以外にもバックライト電源の省電力制御を行うことで、バックライトの電力消費量を抑制している。その結果、本発明の携帯端末装置は、従来よりも電池の寿命を延ばすことができる。
【００３３】
本発明のバックライトの電源制御方法およびその方法を実行するためのプログラムを、電池駆動される液晶バックライトを搭載したコンピュータを含む情報処理装置に適用することが可能である。情報処理装置の電池寿命が改善する効果が得られる。
【図面の簡単な説明】
【００３４】
【図１】本実施例の携帯端末装置の一構成例を示すブロック図である。
【図２】制御部の一構成例を示すブロック図である。
【図３】本実施例のパワーマネジメント制御部によるトリガ登録手順を示すフローチャートである。
【図４】本実施例のパワーマネジメント制御部によるバックライト電源制御の動作手順を示すフローチャートである。
【符号の説明】
【００３５】
１０    記憶部
１４    バックライト
１６    制御部
２１    パワーマネジメント制御部
【図１】
0004539860.tif 000002
【図２】
0004539860.tif 000003
【図３】
0004539860.tif 000004
【図４】
0004539860.tif 000005